(57)【特許請求の範囲】
【請求項１】
上下方向かつ左右方向に延びて水中に設けられる拡散防止膜と、水上側に設けられ、上記拡散防止膜を吊り下げるようこの拡散防止膜の上縁部を支持する支持体とを備えた水中における汚濁水の拡散防止装置において、
上記拡散防止膜が、通水性を有し、上縁部が上記支持体に支持される拡散防止膜芯材と、この拡散防止膜芯材の前、後面のうち、少なくともいずれか一方の面を覆うようこの面に沿って複数枚設けられ、上記拡散防止膜芯材にそれぞれ個別に着脱可能に取り付けられる膜体とを備え、
上記拡散防止膜芯材を網体とし、その網目を貫通する連結具により上記拡散防止膜芯材に上記各膜体を取り付けたことを特徴とする水中における汚濁水の拡散防止装置。
【請求項２】
上記拡散防止膜で仕切られた両水域のうち、汚濁水域側の上記拡散防止膜芯材の面に、上記各膜体を取り付けたことを特徴とする請求項１に記載の水中における汚濁水の拡散防止装置。
【発明の詳細な説明】
【技術分野】
【０００１】
本発明は、海、湖、河川の埋立や浚渫地などの水域で生じる汚濁水が、これに隣接する他の水域に拡散しようとすることを防止する水中における汚濁水の拡散防止装置に関するものである。
【背景技術】
【０００２】
上記拡散防止装置には、従来、下記特許文献１に示されるものがある。この公報のものによれば、上記拡散防止装置は、上下方向かつ左右方向に延びて水中に設けられる拡散防止膜と、水面上に設けられ、上記拡散防止膜を吊り下げるようこの拡散防止膜の上縁部を支持する浮体とを備えている。
【０００３】
そして、上記拡散防止膜で仕切られた両水域のうち、一方の水域が埋立などにより汚濁水が生じる汚濁水域とされ、他方の水域が清浄水域とされる。そして、上記汚濁水域から清浄水域に汚濁水が流動して拡散し、この清浄水域を汚損させる、ということは、上記拡散防止膜により防止される。
【０００４】
上記拡散防止膜を長期使用すると、この拡散防止膜に貝などが大きく付着することにより、これらの自重が無用に増大して、上記浮体と共に上記拡散防止膜が水中に沈むという不都合が生じるおそれがある。また、例えば、上記拡散防止膜が長期にわたり水流によりゆらぐよう繰り返し動かされると、この拡散防止膜が疲労劣化して損耗し、この拡散防止膜による汚濁水の拡散防止機能が低下するという不都合を生じるおそれもある。
【０００５】
そこで、上記不都合が生じた場合には、上記浮体から上記拡散防止膜を水中で離脱させて水上に引き揚げ、もしくは、上記不都合の発生を予定して、定期的に上記浮体から上記拡散防止膜を水中で離脱させて水上に引き揚げることが行われる。
【０００６】
そして、水上において、貝の除去作業をしたり、上記損耗した拡散防止膜を新しいものに交換したりするなど、上記拡散防止装置についての保守作業が行われる。この場合、この保守作業では、上記したように、支持体と拡散防止膜とのうち、拡散防止膜のみを水上に引き揚げれば足りるため、この保守作業が容易にできることとされている。
【特許文献１】実開平５−３８０２８号公報
【発明の開示】
【発明が解決しようとする課題】
【０００７】
ところで、上記従来の技術によれば、保守作業をしようとして拡散防止膜を水上に引き揚げる場合、この拡散防止膜の一部のみに貝が付着していたり、一部のみが損耗していたりするとしても、この拡散防止膜の全体を引き揚げることが要求される。しかし、この拡散防止膜は、通常、面積が大きく、かつ、重いものであるため、上記引き揚げの作業は煩雑かつ重労働となりがちである。つまり、上記拡散防止装置に対する保守作業が煩雑かつ重労働になりがちである。
【課題を解決するための手段】
【０００８】
本発明は、上記のような事情に注目してなされたもので、本発明の目的は、水中における汚濁水の拡散防止装置についての保守作業が容易にできるようにすることである。
【０００９】
請求項１の発明は、上下方向かつ左右方向Ａに延びて水中に設けられる拡散防止膜７と、水上側に設けられ、上記拡散防止膜７を吊り下げるようこの拡散防止膜７の上縁部を支持する支持体９とを備えた水中における汚濁水の拡散防止装置において、
上記拡散防止膜７が、通水性を有し、上縁部が上記支持体９に支持される拡散防止膜芯材２０と、この拡散防止膜芯材２０の前、後面のうち、少なくともいずれか一方の面を覆うようこの面に沿って複数枚設けられ、上記拡散防止膜芯材２０にそれぞれ個別に着脱可能に取り付けられる膜体２４とを備えたものである。
【００１０】
また、上記拡散防止膜芯材２０を網体とし、その網目２１を貫通する連結具２３により上記拡散防止膜芯材２０に上記各膜体２４を取り付けたものである。
【００１１】
請求項２の発明は、上記拡散防止膜７で仕切られた両水域２，３のうち、汚濁水域２側の上記拡散防止膜芯材２０の面に、上記各膜体２４を取り付けたことを特徴とする請求項１に記載の水中における汚濁水の拡散防止装置である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、上下方向かつ左右方向に延びて水中に設けられる拡散防止膜と、水上側に設けられ、上記拡散防止膜を吊り下げるようこの拡散防止膜の上縁部を支持する支持体とを備えた水中における汚濁水の拡散防止装置において、
上記拡散防止膜が、通水性を有し、上縁部が上記支持体に支持される拡散防止膜芯材と、この拡散防止膜芯材の前、後面のうち、少なくともいずれか一方の面を覆うようこの面に沿って複数枚設けられ、上記拡散防止膜芯材にそれぞれ個別に着脱可能に取り付けられる膜体とを備えている。
【００１５】
このため、上記拡散防止膜の前、後面のうち、貝が付着し易い側や、水流などにより損傷し易い側の面に上記各膜体を設定すればよい。そして、これら各膜体のうちの一部の膜体に貝が大きく付着したり、一部の膜体が大きく損傷した場合には、他部の膜体は上記拡散防止膜芯材に取り付けたままに残した状態で、上記一部の膜体を上記拡散防止膜芯材から水中で取り外して水上に引き揚げ、所望の保守作業をすればよい。
【００１６】
よって、上記拡散防止装置の保守作業では、上記拡散防止膜の一部のみを水上に引き揚げることで足りることから、上記拡散防止膜の全体を水上に引き揚げることが要求された従来の技術に比べ、上記拡散防止装置に対する保守作業は容易かつ安価にできる。
【００１７】
また、上記拡散防止膜芯材を網体とし、その網目を貫通する連結具により上記拡散防止膜芯材に上記各膜体を取り付けている。
【００１８】
このため、上記拡散防止膜芯材に各膜体を取り付ける際には、上記拡散防止膜芯材における網目に連結具を貫通させることにより、上記各膜体を取り付けるが、上記拡散防止膜芯材は網体であって、その全体に多くの網目を有している。よって、これら網目のうち所望の網目を選択してその網目に上記連結具を貫通させることにより、上記拡散防止膜芯材の所望位置に各膜体を容易に取り付けることができる。つまり、拡散防止装置に対する保守作業が容易にできる。
【００１９】
また、上記膜体の形状が一定しなくても、所望の網目を選択してその網目に上記連結具を貫通させることにより、上記膜体を拡散防止膜芯材に取り付けることができる。よって、例えば、上記膜体一部が損傷した場合には、この一部を切り取り、これに代えて、この一部に合致する形状の新しい膜体を上記拡散防止膜芯材に取り付けることができる。つまり、拡散防止装置に対する保守作業が容易かつ合理的にできる。
【００２０】
請求項２の発明は、上記拡散防止膜で仕切られた両水域のうち、汚濁水域側の上記拡散防止膜芯材の面に、上記各膜体を取り付けている。
【００２１】
このため、上記汚濁水域側から他の水域側に向けて汚濁水が流動しようとして、上記各膜体に水圧が与えられるとき、これら各膜体はその全体が上記拡散防止膜芯材に面接触して支持されがちとなる。これにより、上記各膜体は所定形状に保持されて、これら各膜体の間に隙間の生じることが防止される。よって、上記拡散防止膜芯材に各膜体を連結させるための上記連結具の数は少なくて足りることから、その分、上記拡散防止膜芯材に各膜体を連結させる作業が容易にできる。つまり、拡散防止装置に対する保守作業が容易かつ安価にできる。
【発明を実施するための最良の形態】
【００２２】
本発明の水中における汚濁水の拡散防止装置に関し、水中における汚濁水の拡散防止装置についての保守作業が容易にできるようにする、という目的を実現するため、本発明を実施するための最良の形態は、次の如くである。
【００２３】
即ち、水中における汚濁水の拡散防止装置は、上下方向かつ左右方向に延びて水中に設けられる拡散防止膜と、水上側に設けられ、上記拡散防止膜を吊り下げるようこの拡散防止膜の上縁部を支持する支持体とを備える。上記拡散防止膜が、通水性を有し、上縁部が上記支持体に支持される拡散防止膜芯材と、この拡散防止膜芯材の前、後面のうち、少なくともいずれか一方の面を覆うようこの面に沿って複数枚設けられ、上記拡散防止膜芯材にそれぞれ個別に着脱可能に取り付けられる膜体とを備える。上記拡散防止膜芯材が網体とされ、その網目を貫通する連結具により上記拡散防止膜芯材に上記各膜体が取り付けられる。
【実施例】
【００２４】
本発明をより詳細に説明するために、その実施例を添付の図に従って説明する。
【００２５】
図において、符号１は全体として海等の水域であり、２は上記水域１のうち、埋立地等の汚濁水が発生する汚濁水域、３は上記水域１のうち、上記汚濁水域２に隣接する他の清浄な清浄水域である。また、説明の便宜上、矢印Ａの方向を左右方向、矢印Ｂの方向を、水平方向で上記左右方向Ａに直交する前後方向とする。
【００２６】
上記汚濁水域２と清浄水域３とを仕切り、上記汚濁水域２で生じる汚濁水が上記清浄水域３に拡散しようとすることを防止する水中における汚濁水の拡散防止装置４が設けられている。この拡散防止装置４は、上下方向かつ左右方向Ａに延びて水中に設けられる拡散防止膜７と、水上側に設けられ、上記拡散防止膜７を吊り下げるようこの拡散防止膜７の上縁部を複数の連結具８により支持する支持体９と、上記拡散防止膜７の下縁部に取り付けられて、この拡散防止膜７に下方に向かう引張力を与えると共に、この拡散防止膜７が水流によって大きくは傾斜しないよう下方に向かう外力を与える重り１０と、図示しないが上記拡散防止膜７や支持体９が上記水域１を自由に移動しないようこの支持体９を水底や陸側に係留する係留装置とを備えている。
【００２７】
上記拡散防止膜７と支持体９とは、上記左右方向Ａで複数ユニットが列設されており、上下方向で互いに対応する拡散防止膜７と支持体９との各１ユニットが１組１１とされ、左右方向Ａで互いに隣り合う１組１１同士が他の連結具１２により互いに隙間なく連結されている。
【００２８】
上記支持体９は、水域１の水面に浮く浮体とされている。この浮体は、その外殻を構成し、上記左右方向Ａに長く延びる膜製の筒状体１５と、この筒状体１５に内嵌され、左右方向Ａに複数列設される発泡スチロール製の浮体本体１６と、上記筒状体１５の下面から下方に向かって延出し、この筒状体１５に沿って延びる膜製の支持片１７とを備えている。
【００２９】
上記拡散防止膜７は可撓性かつ通水性を有する拡散防止膜芯材２０を備えている。この拡散防止膜芯材２０は、上下方向かつ左右方向Ａに延びて、上記支持体９の下方の水中に設けられている。また、この拡散防止膜芯材２０は、上縁部が上記連結具８により上記支持体９の支持片１７に連結されて支持され、下縁部に上記重り１０が取り付けられている。
【００３０】
上記拡散防止膜芯材２０は、ジオシンセティック（もしくはジオグリッド）といわれるもので、ポリエステル（ＰＥＴ）等の繊維製の網体と、この網体の外面にコーティングされる塩化ビニール（ＰＶＣ）等の樹脂製の表皮とを備えている。また、この表皮には耐候性を向上させるため、カーボンが含有されている。上記拡散防止膜芯材２０の網を形成する紐の太さは１〜３ｍｍ程度であり、また、この拡散防止膜芯材２０の網目２１は１辺が５〜１０ｍｍ程度の四角形をなし、碁盤目状に形成されている。
【００３１】
また、上記拡散防止膜７は、上記拡散防止膜芯材２０における汚濁水域２側の前面に更に他の連結具２３により着脱可能に取り付けられる膜体２４を備えている。この膜体２４は、１ユニットの上記拡散防止膜芯材２０の前面に沿って左右方向Ａで複数枚（２枚）設けられ、上記拡散防止膜芯材２０にそれぞれ個別に着脱可能に取り付けられている。上記膜体２４は、可撓性の樹脂製シートや合成繊維で形成され、全体的に矩形とされている。
【００３２】
なお、図３中三点鎖線で示すように、上記拡散防止膜芯材２０における清浄水域３側の後面に上記更に他の連結具２３により膜体２４を着脱可能に取り付けてもよい。
【００３３】
上記更に他の連結具２３は、公知のもので、上記拡散防止膜芯材２０におけるいずれか所望の網目２１と各膜体２４の外縁部に形成された孔２６とを貫通する軸部２７と、この軸部２７の前後方向Ｂの一端部に一体的に形成される鍔部２８と、上記軸部２７の他端部からその径方向で互いに反対方向に突出するようこの他端部に一体的に形成される一対の係止片２９，２９と、上記軸部２７に上記鍔部２８側から嵌入される操作ピン３０とを備えている。上記したように連結具２３の軸部２７が上記拡散防止膜芯材２０の網目２１と膜体２４の孔２６とを貫通し、上記鍔部２８と各係止片２９とが上記拡散防止膜芯材２０と膜体２４とを前後方向Ｂで挟むことにより、上記拡散防止膜芯材２０に膜体２４が取り付けられている（図３中実線）。
【００３４】
上記両係止片２９を互いに接近させるよう加圧すれば、これら各係止片２９は上記軸部２７に対し回動可能であり、これにより、上記各係止片２９は上記軸部２７の軸方向に延びるよう互いに当接する（図３中二点鎖線）。この状態のまま、上記連結具２３を前後方向Ｂで上記鍔部２８の外方に向かうよう上記拡散防止膜芯材２０から離反させれば、上記連結具２３の軸部２７と各係止片２９とは、上記網目２１と孔２６とから抜き出され、上記拡散防止膜芯材２０に対する膜体２４の取り付けが解除される（図１，３中一点鎖線）。上記拡散防止膜芯材２０に膜体２４を取り付ける場合には、上記とは逆の手順によればよく、上記両係止片２９を元の姿勢に積極的に戻すには、上記操作ピン３０を操作して、この操作ピン３０により上記両係止片２９を押動してやればよい。
【００３５】
なお、前記連結具８は、上記更に他の連結具２３と同形同大であり、この連結具２３と同じ作用をする上記連結具８により、上記拡散防止膜７は支持体９に対し着脱可能に取り付けられている。
【００３６】
上記構成によれば、拡散防止膜７が、通水性を有し、上縁部が上記支持体９に支持される拡散防止膜芯材２０と、この拡散防止膜芯材２０の前、後面のうち、少なくともいずれか一方の面を覆うようこの面に沿って複数枚設けられ、上記拡散防止膜芯材２０にそれぞれ個別に着脱可能に取り付けられる膜体２４とを備えている。
【００３７】
このため、上記拡散防止膜７の前、後面のうち、貝が付着し易い側や、水流などにより損傷し易い側の面に上記各膜体２４を設定すればよい。そして、これら各膜体２４のうちの一部の膜体２４に貝が大きく付着したり、一部の膜体２４が大きく損傷した場合には、他部の膜体２４は上記拡散防止膜芯材２０に取り付けたままに残した状態で、上記一部の膜体２４を上記拡散防止膜芯材２０から水中で取り外して水上に引き揚げ、所望の保守作業をすればよい。
【００３８】
よって、上記拡散防止装置４の保守作業では、上記拡散防止膜７の一部のみを水上に引き揚げることで足りることから、上記拡散防止膜７の全体を水上に引き揚げることが要求された従来の技術に比べ、上記拡散防止装置４に対する保守作業は容易かつ安価にできる。
【００３９】
また、前記したように、拡散防止膜芯材２０を網体とし、その網目２１を貫通する連結具２３により上記拡散防止膜芯材２０に上記各膜体２４を取り付けている。
【００４０】
このため、上記拡散防止膜芯材２０に各膜体２４を取り付ける際には、上記拡散防止膜芯材２０における網目２１に連結具２３を貫通させることにより、上記各膜体２４を取り付けるが、上記拡散防止膜芯材２０は網体であって、その全体に多くの網目２１を有している。よって、これら網目２１のうち所望の網目２１を選択してその網目２１に上記連結具２３を貫通させることにより、上記拡散防止膜芯材２０の所望位置に各膜体２４を容易に取り付けることができる。つまり、拡散防止装置４に対する保守作業が容易にできる。
【００４１】
また、上記膜体２４の形状が一定しなくても、所望の網目２１を選択してその網目２１に上記連結具２３を貫通させることにより、上記膜体２４を拡散防止膜芯材２０に取り付けることができる。よって、例えば、上記膜体２４の一部が損傷した場合には、この一部を切り取り、これに代えて、この一部に合致する形状の新しい膜体２４を上記拡散防止膜芯材２０に取り付けることができる。つまり、拡散防止装置４に対する保守作業が容易かつ合理的にできる。
【００４２】
また、前記したように、上記拡散防止膜７で仕切られた両水域２，３のうち、汚濁水域２側の上記拡散防止膜芯材２０の面に、上記各膜体２４を取り付けている。
【００４３】
このため、上記汚濁水域２側から他の清浄水域３側に向けて汚濁水が流動しようとして、上記各膜体２４に水圧が与えられるとき、これら各膜体２４はその全体が上記拡散防止膜芯材２０に面接触して支持されがちとなる。これにより、上記各膜体２４は所定形状に保持されて、これら各膜体２４の間に隙間の生じることが防止される。よって、上記拡散防止膜芯材２０に各膜体２４を連結させるための上記連結具２３の数は少なくて足りることから、その分、上記拡散防止膜芯材２０に各膜体２４を連結させる作業が容易にできる。つまり、拡散防止装置４に対する保守作業が容易かつ安価にできる。
【００４４】
なお、以上は図示の例によるが、支持体９は、鋼管や樹脂管製の浮体であってもよく、陸側に張設されたワイヤーなどであってもよい。また、上記浮体本体１６は樹脂製などの中空容器であってもよい。また、上記拡散防止膜芯材２０は網体に限定されることはなく、目の粗い布状のものであってもよい。また、上記膜体２４は各拡散防止膜芯材２０に対し３枚以上取り付けてもよく、上下に複数枚取り付けてもよい。
【図面の簡単な説明】
【００４５】
【図１】拡散防止装置の部分斜視図である。
【図２】図１のII−II線矢視断面図である。
【図３】図２の部分拡大断面作用説明図である。
【符号の説明】
【００４６】
１    水域
２    汚濁水域
３    清浄水域
４    拡散防止装置
７    拡散防止膜
９    支持体
１０  重り
１１  １組
２０  拡散防止膜芯材
２１  網目
２３  連結具
２４  膜体
Ａ    左右方向
Ｂ    前後方向
【図１】
0004936540.tif 000002
【図２】
0004936540.tif 000003
【図３】
0004936540.tif 000004